(57)【要約】【課題】  故人を偲ぶことが出来る遺影パネルを取付けたお墓のていきょう。【解決手段】  お墓に設置した墓碑２の表面３に遺影パネル４を固定すると共に、該遺影パネル４の表面を覆うことが出来る蓋カバー５を取付けた構造とし、上記遺影パネル４の上端部に設けた軸９を中心として蓋カバー５は回転可能とし、１８０°回転して上方を向いた状態で静止することが出来るように軸支した軸構造を備えたている。【選択図】    図５
2018071337.tif 000002
【特許請求の範囲】
【請求項１】
故人を偲ぶことが出来る遺影パネルを取付けたお墓において、お墓に設置した墓碑の表面に上記遺影パネルを固定すると共に、該遺影パネルの表面を覆うことが出来る蓋カバーを取付けた構造とし、上記遺影パネルの上端部に垂直に起立して設けた軸を中心として蓋カバーは回転可能とし、１８０°回転して上方を向いた状態で静止することが出来るように軸支した軸構造を備えたことを特徴とする遺影パネルを取付けたお墓。
【請求項２】
上記遺影パネルの下端部に垂直に起立した軸を設けて蓋カバーは回転可能に軸支した軸構造を備えた請求項１記載の遺影パネルを取付けたお墓。
【請求項３】
上記遺影パネルを墓石の表面や側面又は背面に固定した請求項１、又は請求項２記載の遺影パネルを取付けたお墓。
【請求項４】
上記遺影パネルはステンレス鋼板などの金属製とし、この表面に故人の顔などを打刻して形成した請求項１、請求項２、又は請求項３記載の遺影パネルを取付けたお墓。
【請求項５】
上記遺影パネルの軸支構造として、蓋カバーの上端部に設けた軸穴は丸穴の下方に長穴を連続して形成し、一方上記軸穴の長穴に嵌る軸には長方形断面の軸部を設けた請求項１、請求項３、又は請求項４記載の遺影パネルを取付けたお墓。
【請求項６】
上記遺影パネルの軸支構造として、蓋カバーの下端部に設けた軸穴は丸穴の上方に長穴を連続して形成し、一方上記軸穴の長穴に嵌る軸には長方形断面の軸部を設けた請求項２、請求項３、又は請求項４記載の遺影パネルを取付けたお墓。
【請求項７】
墓石又は墓碑に取付けて故人を偲ぶことが出来る遺影パネルにおいて、該遺影パネルには表面を覆うことが出来る蓋カバーを取付けた構造とし、上記遺影パネルに垂直に起立して設けた軸を中心として蓋カバーは回転可能とし、該遺影パネルが見えるように所定の角度回転した状態で静止することが出来るように軸支した軸構造を備えたことを特徴とする遺影パネル。
【請求項８】
上記遺影パネルの上端部に設けた軸を中心として蓋カバーは回転可能とし、１８０°回転して上方を向いた状態で静止することが出来るように軸支した軸構造を備えた請求項７記載の遺影パネル。
【請求項９】
上記遺影パネルの下端部に設けた軸を中心として蓋カバーは回転可能とし、１８０°回転して上方を向いた状態で静止することが出来るように軸支した軸構造を備えた請求項７記載の遺影パネル。
【請求項１０】
墓石又は墓碑に取付けて故人を偲ぶことが出来る遺影パネルにおいて、該遺影パネルには表面を覆うことが出来る蓋カバーを設けた構造とし、上記遺影パネルには側辺、上辺、又は下辺に沿って延びる軸を中心として回転する蓋カバーを取付けたことを特徴とする遺影パネル。
【請求項１１】
表面に故人の顔を表示した請求項７、請求項８、又は請求項９、又は請求項１０記載の遺影パネル。
【請求項１２】
表面に故人の戒名を表示した請求項７、請求項８、請求項９、請求項１０、又は請求項１１記載の遺影パネル。
【請求項１３】
表面に故人の事跡を表す墓誌を表記した請求項７、請求項８、請求項９、請求項１０、請求項１１、又は請求項１２記載の遺影パネル。
【発明の詳細な説明】
【技術分野】
【０００１】
本発明は故人の顔を思い出すことが出来るように、表面に打刻印刷を施した遺影パネル、及び該遺影パネルを取付けたお墓に関するものである。
【背景技術】
【０００２】
お墓には故人の遺骨が納められ、春の彼岸や秋の彼岸、及び故人の各周忌には墓参りを行っている。ところで、何代も続いている家系の場合、故人がどのような人であったか全く分からないことが少なくない。自分の親兄弟であれば記憶には残っているが、何十年も経過すると、親や兄弟であってもどのような顔をし、またどのような人であったか記憶が薄れてしまう場合が多い。
まして、何代も前の故人であれば会ったこともなく、如何なる人であったか全く分からない。
【０００３】
墓石の側面には各故人の戒名を刻設したり、又は墓石の隣に墓碑を設置している場合には、該墓碑の表面に各故人の戒名や亡くなった年月を刻設している。このように生前の名前とは異なる戒名として墓石や墓碑に刻設されることから、戒名だけでは親兄弟であるか、祖父や祖母であるかの区別が付かないことも多い。
ところで、従来においては墓碑に遺影を形成したお墓が色々知られている。
【０００４】
例えば、特開２０００−３２８８１６号に係る「墓碑」は、故人の遺影を墓参時期の間に墓石の近傍に設置できるようにし、墓参者にとってより故人を忍ぶことができ、また、お墓を探す場合もわかりやすいようにした墓碑である。
そこで、本体部に対し、前面から見える位置に個人の遺影を設けたことを特徴とし、具体的には前記遺影はタイルに写真を転写形成したものであり、更に前記本体部は屋外において充分な耐風性を有するものであり、更に前記本体部には線香立てと花立てとのいずれか一方または双方が併設又はいずれかを付け替え自在に設けている。
【０００５】
特開２０１０−１９６４５３号に係る「墓碑」は、 墓地に設置する遺影をクリスタルガラスの内部に立体像の遺影として彫刻し、墓参に訪れた人達は故人との再会の情感にも触れ、想いを偲ぶに足る満足感を得ることが出来るようにしている。
【特許文献１】特開２０００−３２８８１６号に係る「墓碑」
【特許文献２】特開２０１０−１９６４５３号に係る「墓碑」
【発明の開示】
【発明が解決しようとする課題】
【０００６】
このように、遺影を形成した墓碑は色々と知られているが、その製作は面倒であり、また一故人の場合にはよいが、故人の数が増えると対処し難い。
また、墓石の側面や墓碑の表面に戒名を刻設する際、該墓石又は墓碑を設置場所から一旦撤去して工場へ持ち込まなくてはならない。しかも、墓石であれば坊さんに来てもらってお経を上げる必要があるなど、かなりの費用がかかる。
本発明は１つのお墓で代々続く場合であっても、墓石や墓碑を設置場所から撤去する必要がなく、設置されている墓石又は墓碑に取付けることが出来る遺影パネル及び該遺影パネルを取付けたお墓を提供する。
【課題を解決するための手段】
【０００７】
本発明のお墓は遺影パネルを墓石又は墓碑に取付けて構成し、上記遺影パネルには遺影として故人の顔を形成したり、又は故人を想い出すことが出来る生前の業績、すなわち故人の事跡などを書きしるした墓誌が表示される。パネルとしては基本的に金属板が使用され、この金属製パネルに打刻することで上記遺影を形成している。
ここで、金属板の具体的な材質は限定しないが、一般には耐食性に優れたステンレス板や真鍮板などが適しており、後加工としてメッキなどの表面処理を施すことは自由である。
【０００８】
そして、上記遺影パネルは墓石の背面や側面に、又は墓碑を設置している場合であればその表面に固定される。遺影パネルには一般に故人の顔が表示されるが、そのほかに戒名や墓誌を記入することも出来、該遺影パネルの表面には蓋カバーを取付けている。蓋カバーは回転することが出来るように軸支され、しかも、ある角度回転して遺影パネルが見えるように、所定の位置で停止することが出来る軸支構造としている。
ここで、上記蓋カバーの軸支構造は限定せず、遺影パネルから垂直に起立した軸を中心として同一面内で回転するように構成したり、又は遺影パネルの側辺や上辺に沿って設けた軸を介して開閉可能に構成することも出来る。
遺影パネルは墓石又は墓碑に取付けられるが、既存のお墓であって既に故人の戒名などが刻設されている場合であっても何ら問題はなく、空いている領域に取付け出来る。
【発明の効果】
【０００９】
本発明のお墓は墓碑に故人の顔などを表示した遺影パネルを取付けている。その為に、墓参りをする際に故人を偲ぶことが出来る。すなわち、亡くなって長い年月が経過するならば自分の親や兄弟であっても顔を思い出すことは出来ないが、遺影パネルに表示されている顔を見て思い出すことが可能と成る。
そして、本発明のお墓では墓碑に複数枚の遺影パネルを順に配列して取付けられ、その為に先祖代々のお墓として構成することが出来る。
【００１０】
一方、上記墓碑に固定した遺影パネルには蓋カバーが回転出来るように取付けられ、該蓋カバーによって遺影パネルは通常カバーされていて、必要な場合には回転して遺影パネルを見ることが出来る。すなわち、遺影パネルは蓋カバーにて被覆されることで自然界の環境から故人を守ることが出来る。
回転する蓋カバーは遺影パネル全体が見えるように所定の位置で停止するように軸支されている為に、墓参りの時間帯は遺影パネルが表面化している。そして、蓋カバーは風雨にさらされて表面に汚れが付着することを極力抑制出来、また太陽の直射光にて変色を抑制することが出来る効果もある。
【００１１】
一方、遺影パネルは墓石や墓碑に簡単に取付けることが出来、該墓石や墓碑に戒名を刻設する場合のように工場へ持ち運んで加工する必要はない。すなわち、遺影パネルの取付けに際して墓石や墓碑を設置場所から撤去する必要がない為に、坊さんを呼んでお経を上げなくて済む。
【図面の簡単な説明】
【００１２】
【図１】墓石の隣に墓碑を配置したお墓の具体例。
【図２】墓碑の表面に複数枚の遺影パネルを取付けている実施例。
【図３】故人の顔を表示している遺影パネルの具体例。
【図４】遺影パネルの表面に蓋カバーを取付けた実施例。
【図５】蓋カバーが１８０°回転して上方を向いている場合。
【図６】蓋カバーの上端部に形成している軸穴の具体例。
【図７】蓋カバーが軸支される軸を示す具体例。
【図８】（ａ）は蓋カバーが垂下している場合で軸部が軸穴の丸穴に嵌っている状態、（ｂ）は蓋カバーが１８０°回転して上方を向いている場合で軸部が長穴に嵌っている状態。
【図９】本発明の遺影パネルで、蓋カバーが蝶番にて開閉可能としている実施例。
【図１０】蓋カバーが閉じている遺影パネル。
【発明を実施するための形態】
【００１３】
図１は本発明のお墓を示す実施例であり、同図の１は墓石、２は墓碑を表している。ここで、上記墓石１の具体的な形態、及び墓碑２の具体的な形態に関しては同図に示す場合に限定せず、また、お墓を設置する土地が狭い場合であれば上記墓碑２を配置することなく墓石だけで構成することも出来る。
墓石１の正面には一般に大きな文字で「先祖代々の墓」、「南無阿弥陀仏」などが刻設されている。
【００１４】
図２は墓碑２を示し、（ａ）は正面図、（ｂ）は側面図をそれぞれ表している。ところで、該墓碑２の表面３には複数枚の遺影パネル４，４・・・が取付けられている。これら遺影パネル４，４・・・は古い故人から順に配列し、該遺影パネル４には故人の顔を表示している。また、遺影パネル４には顔以外に亡くなった日付け、戒名、及び生前の名前なども合わせて表示している。ただし、これらは遺影パネル４の下側の墓碑２の表面３に直接表示することも出来る。
さらに、既存の墓碑であって同図に示すように戒名が刻設されている場合であっても何ら問題はなく、該戒名１２のない領域に遺影パネル４，４・・・が取付けられる。
【００１５】
図３は遺影パネル４を表している具体例であり、該遺影パネル４はその材質は一般に金属板として、しかも風雨にさらされても錆びにくいように耐食性に優れたステンレス板や真鍮板が適している。勿論、メッキなどの表面処理をするならば鉄板や鋼板とすることも出来る。
そして、この金属製パネルの表面を打刻によって顔などの遺影を形成している。打刻技術に関しては従来から知られており、顔写真をコンピュータに取り込むことで簡単に加工することが可能である。
一方、該遺影パネル４には顔以外に戒名、亡くなった年、年齢、それに故人の事跡を表している墓誌１３を表記することも出来る。
【００１６】
ところで、本発明では墓碑２の表面３に固定される上記遺影パネル４には蓋カバーが取付けられて遺影パネル４が表面化しないようにカバーされている。そして、該蓋カバーは回転して遺影パネル４を見ることが出来るように取付けられている。しかも、所定の角度回転したところで元の位置に戻らないように静止することが出来る軸支構造と成っている。
ここで、上記遺影パネルを墓碑の表面に固定する為の手段は特に限定しないが、例えばピン止めしたり又は石と金属を強固に接着することが出来る接着剤を用いることも可能である。
【００１７】
図４は遺影パネル４に蓋カバー５を取付けた場合の正面図と縦断面図を表している。そして図５は上記蓋カバー５が１８０°回転して上方に位置している場合を表している。このように、遺影パネル４は墓碑２の表面３に固定されているが、蓋カバー５は回転すること出来るように取付けられている。しかも、１８０°回転した蓋カバー５は元の位置に戻らないように一時的に静止する軸支構造と成っている。ただし、蓋カバー５が回転可能に軸支される具体的な構造に関しては限定しないことにする。
【００１８】
図４、図５では遺影パネル４の上端部に軸９を垂直に起立して設けている為に蓋カバー５は常時垂下した状態と成っていて、墓参りをする際に蓋カバー５を同一面内で回転して上方へ持ち上げる場合を示している。これとは逆に遺影パネル４の下端部に軸９を設けることも出来る。下端部に軸９を設けた場合には、蓋カバー５は常時上方を向いて配置され、墓参りをする際に回転して下方へ垂下させることになる。
【００１９】
図６は蓋カバー５の上端部に貫通して設けられる軸穴６の具体例である。該軸穴６は丸穴７と長穴８を有し、長穴８は丸穴７の下側に連続して形成している。
そして、図７は蓋カバー５が軸支される軸９を示す具体例である。該軸９は上記長穴８に嵌ることが出来る軸部１０と先端には円盤状のツバ１１を有している。軸９は遺影パネル４の上端部に垂直に起立して固定され、この軸９には蓋カバー５の軸穴６が嵌って軸支される。
【００２０】
同図に示す軸９は四角形の軸部１０を有し、該軸部１０が遺影パネル４の上端部に形成した四角形穴に嵌って固定されるが、該軸９を遺影パネル４にネジ止めすることも可能である。この場合には、該軸９の軸部１０にネジ部を設け、遺影パネル４に設けたネジ穴に螺合される。
【００２１】
図８は軸９に蓋カバー５が軸支されている場合を示し、（ａ）は蓋カバー５にて遺影パネル４をカバーしている通常の状態であり、軸穴６の丸穴７に軸部１０が位置している。  したがって、丸穴７に軸部１０が嵌っている為に蓋カバー５は回転することが出来、蓋カバー５は１８０°回転して上方を向いて静止する。（ｂ）は蓋カバー５が１８０°回転した場合であり、長穴８に軸部１０が嵌合している。すなわち、蓋カバー５が１８０°回転するならば軸穴６の長穴８は軸部１０に嵌合し、蓋カバー５は上方を向いて静止することが出来る。
【００２２】
図４に示すように蓋カバー５は軸９に軸支されて下方へ垂下し、墓参りをする際には、図５に示すように蓋カバー５は１８０°回転して上方を向くことになる。この際、蓋カバー５が逆戻りして下方に垂下することはない。
ところで、前記実施例に示したお墓の場合、墓石１の隣に墓碑２を設置し、この墓碑２の表面に遺影パネル４，４・・・を取付けているが、墓碑２を配置しないお墓であれば墓石１の側面に遺影パネル４，４・・・を取付けることが出来る。
【００２３】
ところで、上記実施例で説明した蓋カバー５は遺影パネル４から垂直に起立した軸９を中心として同一面内で回転することが出来るように構成している。しかし、本発明では蓋カバー５を開閉する為の手段は上記実施例の場合に限定はしない。例えば、開閉手段として一般的に多用されている蝶番型式の継手構造とすることも可能である。
【００２４】
図９は蝶番型式を用いた蓋カバー５の開閉構造を示している実施例であり、同図の４は遺影パネル、５は蓋カバーを表し、該蓋カバー５は遺影パネル４の側辺に沿って設けた軸１４を介して連結している。同図は蓋カバー５を開いた状態であり、上記遺影パネル４には前記図３に示した場合と同じく、顔、戒名、亡くなった年、年齢、それに故人の事跡を表している墓誌１３などが表記されている。
【００２５】
図１０は蓋カバー５を閉じた状態で、遺影パネル４は蓋カバー５にて被覆される。すなわち、蓋カバー５は上記軸１４を中心として旋回することで開閉することが出来る。上下方向に延びている軸１４を介して開いた蓋カバー５は墓参り際に独りでに閉じることはない。しかし、墓参り以外は図１０のように蓋カバー５は閉じているが、風が吹き込んで開かないように蓋カバー５の先端部にボタンなどの止着具を設け、遺影パネルに係合するように構成することが出来る。
【００２６】
図９、図１０では、軸１４を遺影パネル４の側辺に沿って設けた場合であるが、上辺又は下片に沿って設ける場合もあり、この場合の蓋カバー５は上下方向に回転して開閉することが出来る。
勿論、蓋カバー５が上下方向に回転して開閉する場合、開いた蓋カバー５が閉じないように、また閉じた蓋カバー５が開かにように該蓋カバー５の先端部にはボタンなどの止着具を設けることも必要である。
【符号の説明】
【００２７】
１   墓石
２   墓碑
３   表面
４   遺影パネル
５   蓋カバー
６   軸穴
７   丸穴
８   長穴
９   軸
10   軸部
11   ツバ
12   戒名
13   墓誌
14   軸
【図１】
2018071337.tif 000003
【図２】
2018071337.tif 000004
【図３】
2018071337.tif 000005
【図４】
2018071337.tif 000006
【図５】
2018071337.tif 000007
【図６】
2018071337.tif 000008
【図７】
2018071337.tif 000009
【図８】
2018071337.tif 000010
【図９】
2018071337.tif 000011
【図１０】
2018071337.tif 000012